(57)【要約】【課題】チェンジャ型のＣＤ再生装置などにおいて、簡単な操作で多彩なシャッフル再生を実現する。【解決手段】記録媒体に関連する、あるいは記録媒体に記録されている楽曲に関連するテキスト情報が、規格上、記録可能な第１の記録媒体であるか、テキスト情報の記録が、規格上できないとされている第２の記録媒体であるかを判別する記録媒体判別手段を設ける。第２の記録媒体に対応して、入力された第２の記録媒体に関連するテキスト情報あるいは第２の記録媒体に記録されている楽曲に関連するテキスト情報をテキスト情報格納部に記憶する。検索手段は、入力されたテキスト情報を検索子として、テキスト情報格納部のテキスト情報について検索し、順序不同再生の対象にする複数の記録媒体あるいは複数の楽曲を選択する。順序不同再生手段は、検索手段での選択結果について、順序不同に再生を行なう。【選択図】図１
2006331638.tif 000002
【特許請求の範囲】
【請求項１】
複数の楽曲が記録された１または複数の記録媒体について、楽曲ごとまたは記録媒体ごとに順序不同再生する音楽情報の再生装置であって、
前記記録媒体に関連するテキスト情報あるいは前記記録媒体に記録されている前記楽曲に関連するテキスト情報が、規格上、記録可能な第１の記録媒体であるか、前記テキスト情報の記録が、規格上できないとされている第２の記録媒体であるかを判別する記録媒体判別手段と、
テキスト情報入力手段と、
前記記録媒体判別手段で判別された前記第２の記録媒体に対応して、前記テキスト情報入力手段を通じて入力された前記第２の記録媒体に関連するテキスト情報あるいは前記第２の記録媒体に記録されている前記楽曲に関連するテキスト情報をテキスト情報格納部に記憶するテキスト情報格納手段と、
前記テキスト情報入力手段を通じて入力されたテキスト情報を検索子として、前記テキスト情報格納部に記憶されている前記テキスト情報について検索して、前記順序不同再生の対象にする１ないし複数の記録媒体あるいは複数の楽曲を選択する検索手段と、
前記検索手段で選択された１ないし複数の記録媒体あるいは複数の楽曲について、順序不同に再生を行なう順序不同再生手段と、
を備えることを特徴とする音楽情報の再生装置。
【請求項２】
請求項１に記載の音楽情報の再生装置において、
前記記録媒体判別手段で前記第１の記録媒体を判別したときに、当該第１の記録媒体に記録されている前記テキスト情報を取り込んで、前記第１の記録媒体に対応して前記テキスト情報格納部に格納する手段を備える
ことを特徴とする音楽情報の再生装置。
【請求項３】
請求項１または請求項２に記載の音楽情報の再生装置において、
前記テキスト情報入力手段を通じて入力されるテキスト情報は、ジャンル名または演奏者名を含む
ことを特徴とする音楽情報の再生装置。
【請求項４】
請求項１または請求項２に記載の音楽情報の再生装置において、
前記順序不同再生手段は、前記検索手段で選択された１ないし複数の記録媒体あるいは複数の楽曲について、順序不同に再生を行なうモードの他に、一つの記録媒体内の複数の楽曲について順序不同に再生を行なう第２のモードと、複数の記録媒体のすべてについて順序不同に再生を行なう第３のモードとを備える
ことを特徴とする音楽情報の再生装置。
【請求項５】
請求項３に記載の音楽情報の再生装置において、
前記検索子として入力された前記テキスト情報がジャンル名または演奏者名のいずれであるかを特定する選択対象特定手段を備え、
前記選択対象特定手段により前記ジャンル名が選択されたと特定されたときには、前記テキスト情報格納部に、前記ジャンル名と同じジャンル名が対応して格納されている記録媒体のすべてが前記検索手段で選択され、
前記選択対象特定手段により前記演奏者名が選択されたと特定されたときには、前記テキスト情報格納部に、前記演奏者名と同じ演奏者名が対応して格納されている記録媒体のすべてが前記検索手段で選択され、
前記順序不同再生手段は、前記検索手段で選択された記録媒体について、順序不同に再生を行なう
ことを特徴とする音楽情報の再生装置。
【請求項６】
請求項３に記載の音楽情報の再生装置において、
前記検索子として入力された前記テキスト情報がジャンル名または演奏者名のいずれであるかを特定する選択対象特定手段を備え、
前記選択対象特定手段により前記ジャンル名が選択されたと特定されたときには、前記テキスト情報格納部に、前記ジャンル名と同じジャンル名が対応して格納されている記録媒体内の全楽曲が前記検索手段で選択され、
前記選択対象特定手段により前記演奏者名が選択されたと特定されたときには、前記テキスト情報格納部に、前記演奏者名と同じ演奏者名が対応して格納されている記録媒体内の全楽曲が前記検索手段で選択され、
前記順序不同再生手段は、前記検索手段で選択された前記楽曲について、順序不同に再生を行なう
ことを特徴とする音楽情報の再生装置。
【請求項７】
請求項１または請求項２に記載の音楽情報の再生装置において、
前記順序不同再生手段は、乱数にしたがった再生順序で、前記順序不同の再生を実行する
ことを特徴とする音楽情報の再生装置。
【請求項８】
請求項５または請求項６に記載の音楽情報の再生装置において、
前記順序不同再生手段は、前記検索手段で選択されたジャンル名または演奏者名が同じ記録媒体または楽曲が、連続して再生される順序不同再生を禁止する手段を備える
ことを特徴とする音楽情報の再生装置。
【請求項９】
請求項５または請求項６に記載の音楽情報の再生装置において、
前記順序不同再生手段は、前記検索手段で選択されなかった記録媒体または楽曲を用いて、前記検索手段で選択されたジャンル名または演奏者名が同じ記録媒体または楽曲が、連続して再生されないように、前記順序不同の再生を実行する
ことを特徴とする音楽情報の再生装置。
【請求項１０】
請求項９に記載の音楽情報の再生装置において、
前記検索手段で選択された記録媒体または楽曲の間に挿入される前記検索手段で選択されなかった記録媒体または楽曲は、乱数で挿入順序が決定される
ことを特徴とする音楽情報の再生装置。
【請求項１１】
複数の楽曲が記録された１または複数の記録媒体について、楽曲ごとまたは記録媒体ごとに順序不同再生する音楽情報の再生方法であって、
前記記録媒体に関連するテキスト情報あるいは前記記録媒体に記録されている前記楽曲に関連するテキスト情報が、規格上、記録可能な第１の記録媒体であるか、前記テキスト情報の記録が、規格上できないとされている第２の記録媒体であるかを判別する記録媒体判別工程と、
前記記録媒体判別工程で判別された前記第２の記録媒体に対応して、テキスト情報入力手段を通じて入力された前記第２の記録媒体に関連するテキスト情報あるいは前記第２の記録媒体に記録されている前記楽曲に関連するテキスト情報をテキスト情報格納部に記憶するテキスト情報格納工程と、
前記テキスト情報入力工程を通じて入力されたテキスト情報を検索子として、前記テキスト情報格納部に記憶されている前記テキスト情報について検索して、前記順序不同再生の対象にする１ないし複数の記録媒体あるいは複数の楽曲を選択する検索工程と、
前記検索工程で選択された１ないし複数の記録媒体あるいは複数の楽曲について、順序不同に再生を行なう順序不同再生工程と、
を備えることを特徴とする音楽情報の再生方法。
【発明の詳細な説明】
【技術分野】
【０００１】
この発明は、例えばチェンジャ型の光ディスク再生装置に好適な、音楽情報の再生装置および再生方法に関する。
【背景技術】
【０００２】
従来、音楽の再生には、コンパクトディスク（ＣＤ）が広く用いられている。周知のように、ＣＤは、直径が１２（または８）ｃｍの光ディスクに、デジタルオーディオ信号を記録したものである。
【０００３】
コンパクトディスクの普及に伴って、使用者が所有するコンパクトディスクの枚数も増加してきており、複数のディスクを収納して連続再生が可能な、チェンジャ型のＣＤ再生装置も、車載用などで用いられている（例えば特許文献１（特開平１０−１１６４６７号公報）参照）。
【０００４】
そして、従来のチェンジャ型のＣＤ再生装置には、
・１枚のディスクに記録されている複数の楽曲を、乱数を用いて順序不同に再生（以下、シャッフル再生という）する、
・装填されている例えば１０枚のディスクの全てのディスクを、乱数を用いてシャッフル再生する、
・装填されている全てのディスクから選択した複数の楽曲を、シャッフル再生する、
機能が搭載されている。
【０００５】
上記の特許文献は、次の通りである。
【特許文献１】特開平１０−１１６４６７号公報
【発明の開示】
【発明が解決しようとする課題】
【０００６】
ところが、前述のような、従来のチェンジャ型のＣＤ再生装置では、全てのディスクのうち、特定の演奏者のディスクや特定のジャンルのディスクのような、特定のディスクに限定してシャッフルする、あるいは、同じ演奏者の楽曲や、同じジャンルの楽曲に限定してシャッフルする、あるいは、同じ演奏者の楽曲や、同じジャンルの楽曲の連続を禁止してシャッフルするなどというような、細かい制御ができないという問題があった。
【０００７】
この発明は、以上の点にかんがみ、簡単な操作で、使用者の様々な要求に応えることができるような多彩なバリエーションのシャッフル再生を可能にした音楽情報の再生装置および再生方法を提供することを目的とする。
【課題を解決するための手段】
【０００８】
上記の課題を解決するために、請求項１の発明による音楽情報の再生装置は、
複数の楽曲が記録された１または複数の記録媒体について、楽曲ごとまたは記録媒体ごとに順序不同再生する音楽情報の再生装置であって、
前記記録媒体に関連するテキスト情報あるいは前記記録媒体に記録されている前記楽曲に関連するテキスト情報が、規格上、記録可能な第１の記録媒体であるか、前記テキスト情報の記録が、規格上できないとされている第２の記録媒体であるかを判別する記録媒体判別手段と、
テキスト情報入力手段と、
前記記録媒体判別手段で判別された前記第２の記録媒体に対応して、前記テキスト情報入力手段を通じて入力された前記第２の記録媒体に関連するテキスト情報あるいは前記第２の記録媒体に記録されている前記楽曲に関連するテキスト情報をテキスト情報格納部に記憶するテキスト情報格納手段と、
前記テキスト情報入力手段を通じて入力されたテキスト情報を検索子として、前記テキスト情報格納部に記憶されている前記テキスト情報について検索して、前記順序不同再生の対象にする１ないし複数の記録媒体あるいは複数の楽曲を選択する検索手段と、
前記検索手段で選択された１ないし複数の記録媒体あるいは複数の楽曲について、順序不同に再生を行なう順序不同再生手段と、
を備えることを特徴とする。
【０００９】
また、請求項２の発明は、請求項１に記載の音楽情報の再生装置において、
前記記録媒体判別手段で前記第１の記録媒体を判別したときに、当該第１の記録媒体に記録されている前記テキスト情報を取り込んで、前記第１の記録媒体に対応して前記テキスト情報格納部に格納する手段を備える
ことを特徴とする。
【００１０】
請求項１の発明によれば、記録媒体に関連するテキスト情報あるいは記録媒体に記録されている前記楽曲に関連するテキスト情報が、規格上、記録媒体に記録できないとされている第２の記録媒体であっても、テキスト情報入力手段を通じて、ユーザからのテキスト情報の入力を受け付けて、当該第２の記録媒体に対応してテキスト情報格納部に格納する手段を備える。
【００１１】
そして、順序不同再生は、ユーザがテキスト情報入力手段を通じて入力したテキスト情報に基づいて、テキスト情報格納部に格納されているテキスト情報から検索手段が選択した記録媒体または楽曲について実行される。
【００１２】
したがって、請求項１の発明によれば、テキスト情報を用いて順序不同の再生をする対象を指定することにより、当該テキスト情報により指定される楽曲が記録されている記録媒体や、その楽曲自身が、装填されている記録媒体から選択されて、順序不同の再生が実行される。したがって、特定の演奏者や、特定のジャンルの楽曲のみを抽出して順序不同の再生が行えるなど、多彩な順序不同再生を行うことができる。
【００１３】
そして、請求項２の発明によれば、テキスト情報が記録される規格の第１の記録媒体の場合には、当該第１の記録媒体に記録されているテキスト情報が読み出されて、テキスト情報格納部に格納される。
【００１４】
したがって、請求項２の発明によれば、第２の記録媒体のみではなく、第１の記録媒体も順序不同の再生の対象となるものである。
【発明の効果】
【００１５】
この発明によれば、テキスト情報を検索子として記録媒体や、楽曲を検索選択し、その選択した記録媒体や楽曲についてシャッフル再生（順序不同再生）をすることができ、使用者の希望に沿ったシャッフル再生ができるようになる。
【００１６】
また、この発明によれば、テキスト情報を検索子として記録媒体や、楽曲を検索選択し、その選択した記録媒体や楽曲が、連続しないように再生されるので、変化に富んだシャッフル再生が実現される。
【００１７】
また、この発明によれば、テキスト情報が予め記録されていない媒体が混在する場合も、予めメモリにその媒体に対応するテキスト情報を格納しておくことにより、シャッフル再生の対象とすることができ、多彩なシャッフル再生が実現される。
【発明を実施するための最良の形態】
【００１８】
以下、図１〜図８を参照しながら、この発明による音楽情報の再生装置をチェンジャ型のＣＤ再生装置に適用した実施の形態について説明する。
【００１９】
この発明では、次に述べるような、ＣＤテキストなどの付随的テキスト情報を利用することにより、後述のように、多彩なシャッフル再生を実現する。
【００２０】
［ＣＤのデータ構成］
まず、この発明の理解を助けるために、図７および図８を参照しながら、音楽用ＣＤ（ＣＤ−ＤＡ）のデータ構成について説明する。
【００２１】
音楽用ＣＤにおいては、内周側のリードイン領域にＴＯＣ（Table Of Contents ）情報が記録されると共に、リードイン領域の外側のプログラム領域にメインのオーディオデータが記録されている。
【００２２】
メインのオーディオデータは、２４バイトの音のデータと８バイトのパリティとをひとまとめにした、フレームと呼ぶ単位のデータ列である。
【００２３】
図７Ａに示すように、リードイン領域においては、各フレームには、フレーム同期部１０１の後に、８ビットのサブコード部１０２が続いており、更に、データ＆パリティ部１０３が続く。
【００２４】
また、図８Ａに示すように、プログラム領域においては、各フレームには、フレーム同期部１０５の後に、８ビットのサブコード部１０６が続いており、更に、データ＆パリティ部１０７が続く。
【００２５】
サブコードのＰ、Ｑ、Ｒ‥‥Ｗの各チャンネルは９８フレームで１つの意味を持つような構造になっているため、アクセスは９８フレーム単位となる。
【００２６】
リードイン領域では、図７Ａに示したデータ＆パリティ部１０３のデータはゼロであり、また、サブコードのＰチャンネルもゼロである。そして、サブコードのＱチャンネルのデータ部１０４には、図７Ｂに示すようなフォーマットで、ＴＯＣデータが記録される。
【００２７】
一方、プログラム領域では、図８Ｂに示すようなフォーマットで、サブコードのＱチャンネルのデータ部１０８に、プログラム番号（トラック番号）、楽章番号（インデックス）、各プログラムの時間情報、ＣＤ上の絶対時間情報などの情報が記録される。
【００２８】
ＣＤの再生時、このようなＱチャンネルの情報を表示することによって、演奏中のプログラムが光ディスク上の何番目のプログラムであるのか、演奏の経過時間や始めからの絶対時間などを確認することができる。
【００２９】
なお、サブコードのＰチャンネルは、プログラムスタートの２〜３秒間は“１”で、２〜３秒後に“０”となると共に、トラック番号の間では“１”となる。プログラムの頭出しなどに用いられる。
【００３０】
サブコードのＲ〜Ｗチャンネルの６チャンネル分のデータは、例えば静止画や、楽曲の歌詞の表示などに用いることが可能である。このようなＲ〜Ｗチャンネルを用いた再生装置は、ＣＤ−グラフィックスとして、既に知られている。
【００３１】
更に、「ＣＤテキスト」という規格では、ＣＤのリードイン領域のＲ〜Ｗチャンネルに、付随的なテキスト情報が記録されている。このＣＤテキストの場合、６５００バイト程度のテキスト情報を記録することが可能であり、８カ国の言語に対応して、それぞれ８００バイト以下の記録をしてよいことになっている。
【００３２】
テキスト情報は、ＣＤ名（アルバム名、またはプログラム名）、演奏者、指揮者名またはオーケストラ名、作詞者名、作楽曲者名、編楽曲者名、メッセージ、検索用キーワード、ディスク識別コードなどとなっている。
【００３３】
また、検索用キーワードは、例えば、２バイトのジャンルコードと、ディスク全体を代表する人物名ないしキーワードで決められる。
【００３４】
［実施の形態の構成］
この発明の実施の形態の構成を図１に示す。図１の実施の形態において、ＣＤ再生装置は、再生系１０とシステム制御系３０とを備えると共に、チェンジャ機能を備える。
【００３５】
このチェンジャは、複数のコンパクトディスク（以下、単にディスクと略称する）１ａ〜１ｎが収納されるディスク収納部（マガジン）２と、このマガジン２と再生系１０との間で、ディスクの入れ替えを行なう搬送機構（鎖線で示す）３とからなり、後述のように、使用者の操作に応じて、複数のディスク１ａ〜１ｎが選択再生される。
【００３６】
マガジン２から搬送された任意のディスク１ｊが、再生系１０のスピンドル（図示は省略）に装着されて、スピンドルモータ１１により、所定の線速度で回転駆動される。また、ディスク１ｊに対向するように光学ピックアップ１２が配設される。
【００３７】
この光学ピックアップ１２は、例えばレーザダイオードなどのレーザ光源、コリメータレンズ、対物レンズ、偏光ビームスプリッタ、円筒レンズなどの光学部品および光検出器などから構成されており、送りモータ１３により、ディスク１ｊの半径方向に移動できるように構成されている。
【００３８】
ディスク１ｊの再生時、光学ピックアップ１２は、ディスク１ｊの目的トラックに照射したレーザ光の反射光を検出することにより、例えば非点収差法によりフォーカスエラーを検出し、また、例えばプッシュプル法によりトラッキングエラーを検出すると共に、目的トラックからの反射光量の違いを検出して、再生ＲＦ信号を出力する。
【００３９】
光学ピックアップ１２の出力は、ＲＦ信号処理回路１４に供給される。ＲＦ信号処理回路１４では、光学ピックアップ１２の出力からフォーカスエラー信号やトラッキングエラー信号が抽出されてサーボ制御回路１５に供給されると共に、再生信号が２値化されて再生処理回路１６に供給される。
【００４０】
サーボ制御回路１５では、フォーカスエラーがゼロになるように、光学ピックアップ１２の光学系のフォーカス制御が行われると共に、トラッキングエラーがゼロになるように、光学ピックアップ１２の光学系のトラッキング制御が行われる。
【００４１】
再生処理回路１６では、ＥＦＭ復調、デインターリーブ、エラー訂正、Ｄ−Ａ変換などの処理が行われて、ディスク１ｊから再生されたオーディオ信号は、一体もしくは別体のオーディオ増幅回路１７を通じて、左右のスピーカ１８Ｌ，１８Ｒに供給され、両スピーカ１８Ｌ，１８Ｒから再生音声が放音される。
【００４２】
また、再生処理回路１６のＥＦＭ復調部において分離されたサブコードがサブコード処理回路２１に供給されて、Ｐ，ＱチャンネルとＲ〜Ｗチャンネルとに分離され、このＲ〜ＷチャンネルのサブコードがＣＤテキストデコーダ２２に入力されて、復号されることにより、ＣＤテキストデータが取り出される。
【００４３】
一方、システム制御系３０は、ＣＰＵ３１、ＲＯＭ３２およびＲＡＭ３３を備え、それぞれがシステムバス３４に接続されて、マイクロコンピュータが構成される。ＲＯＭ３２には、後述のようなシャッフル再生処理ルーチンなど、各種の制御プログラムが格納され、ＲＡＭ３３は主に演算のための作業領域や、後述のようなシャッフル再生のための一時記憶領域として利用される。
【００４４】
システムバス３４には、インターフェイス回路３５を介して、操作部３６が接続されると共に、ビデオＲＡＭを含む駆動回路３７を介して、液晶表示素子を用いたディスプレイ３８が接続される。
【００４５】
操作部３６は、ＣＤを再生するためのキー、プログラムの選択、サーチのためのキー、使用者入力情報を登録するためのキー、使用者入力情報、ＣＤテキスト情報などを選択して表示するためのキーなどを含んでいる。
【００４６】
このような操作部３６からの操作結果に応じて、ＣＰＵ３１により生成された制御データが、システムバス３４に接続されたポート３９を通じて、サーボ制御回路１５に供給され、ディスク１における再生位置が制御されると共に、トラック番号や再生時間などがディスプレイ３８に表示される。
【００４７】
また、ポート３９を通じて、ディスクの入れ替えのための制御信号がＣＰＵ３１からマガジン２に供給される。
【００４８】
この実施の形態では、システムバス３４にポート４１および不揮発性メモリ４２が接続される。ここで、不揮発性メモリ４２は、電池でバックアップされるメモリも含む概念である。上述のサブコード処理回路２１で分離されたＰおよびＱチャンネルのサブコードと、ＣＤテキストデコーダ２２により取り出されたＣＤテキストデータが、ポート４１を介して、ＣＰＵ３１に取り込まれる。
【００４９】
ＣＰＵ３１において、システムにとって必要なデータが選択され、例えば、ＴＯＣ情報、アルバム名、演奏者名、トラック名、ジャンルデータなどが不揮発性メモリ４２のＣＤテキスト記録領域４２ｔに格納される。
【００５０】
また、この実施の形態では、ＣＤテキスト規格に対応していないディスクに対しても、後述のように多彩なシャッフル再生を適用可能とするため、不揮発性メモリ４２内に、使用者入力情報の登録領域４２ｕが設けられる。
【００５１】
ＣＤテキスト規格に対応していない個々のディスクに応じて、使用者が入力する情報は、例えば、ＴＯＣ情報、アルバム名、演奏者名、トラック名、ジャンルデータなどであって、これらの情報の入力は、前述の操作部３６の、入力情報を登録するためのキーにより行われる。
【００５２】
上述のような、使用者入力情報の登録済みのＣＤを再生した場合には、総プログラム数および総演奏時間に関する照合が行われ、ディスクの識別が行われる。すなわち、総プログラム数および総演奏時間の情報は、通常、各ＣＤに固有のものとなるので、これらの情報がディスク識別子として用いられるものである。
【００５３】
更に、この実施の形態では、図１に点線で示すように、外部記憶装置としてのハードディスク４３が、インターフェイス回路４４を介して、システムバス３４に接続可能とされる。
【００５４】
ハードディスクは、高速アクセスが可能で、近年、その記憶容量が飛躍的に増大しており、例えば、マガジン２に収納された複数のディスク１ａ〜１ｎにそれぞれ収録されている、全ての楽曲の音楽データとＣＤテキストデータとをまとめて、１台のハードディスクに記録することも可能である。
【００５５】
なお、この明細書においては、前述のようなＣＤテキスト情報と、ＣＤテキスト規格に非対応のディスクについて、使用者が入力した所要のテキスト情報とを「付随情報」と総称する。
【００５６】
［シャッフル再生処理の第１の実施の形態］
次に、図２〜図４をも参照しながら、この発明によるシャッフル再生処理の第１の実施の形態について説明する。
【００５７】
図１に示すようなチェンジャ型再生装置のディスクの装着に応じて、図３に示すような付随情報の格納処理ルーチン２１０がスタートする。この実施の形態では、このルーチン２１０により取り込まれて不揮発性メモリ４２に格納された付随情報が用いられて、後述するシャッフル再生処理が行われる。
【００５８】
図３に示すように、上述の付随情報の格納処理では、まず、ステップ２１１において、再生装置に現に装着中のディスクと、マガジンに格納されているディスクとに対して、各ディスクがＣＤテキスト規格に対応しているか否かが判断される。
【００５９】
各ディスクがＣＤテキスト規格に対応している場合は、各ディスクからＣＤテキスト情報が取り込まれて、不揮発性メモリ４２（図１参照）のＣＤテキスト記録領域に、図４に示すように記録される（ステップ２１２，２１３）。
【００６０】
また、各ディスクがＣＤテキスト規格に非対応の場合には、ＣＤテキスト規格に非対応のディスク番号が表示されて、使用者に対して、所要のテキスト情報の入力が促される。使用者により、図４に示すような所要のテキスト情報が入力されると、そのテキスト情報は、不揮発性メモリ４２の使用者入力情報登録領域に登録される（ステップ２１４〜２１６）。
【００６１】
上述のようなステップ２１１〜２１６の処理は、ステップ２１７において、全ディスクのチェックが済んだと判断されるまで、各ディスクに対して順次に実行され、全ディスクのチェックが済んで終了する。
【００６２】
なお、使用者入力情報は、例えば、ジャンル例を表示し、あるいは、数の多い順に演奏者を表示するなどして、使用者に選択させるようにしてもよい。
【００６３】
また、前述のように、大容量のハードディスクが接続された場合、このハードディスクに記録された全ての曲の音楽データに対応するＣＤテキストデータも、付随情報の格納の対象として、上述と同様に処理される。
【００６４】
そして、この実施の形態では、一度読み込んだディスクの付随情報、即ち、ＣＤテキストデータや使用者入力データは、不揮発性メモリ４２の対応領域４２ｔ，４２ｕに蓄積されるので、同じディスクが再び装置に装填された場合には、そのディスクのＴＯＣ情報の一部分を読み込むだけで、付随情報を呼び出すことができて、後述するシャッフル再生処理を実行する際に、その開始までの時間が短縮される。
【００６５】
次に、シャッフル再生処理の処理ルーチン２００を、図２のフローチャートについて説明する。
【００６６】
最初のステップ２０１では、使用者による所定のキー入力に基づいて、次のようなモード１〜モード３から、所望のシャッフルモードが選択される。
【００６７】
この実施の形態では、モード１がテキスト情報に基づいて選択対象を限定したディスクシャッフルのモードとされると共に、モード２およびモード３は、それぞれ従来と同様のディスク内シャッフルモードおよび全ディスクシャッフルモードとされる。
【００６８】
ステップ２０２では、使用者により選択されたシャッフルモードが、モード１，モード２またはモード３のいずれであるかが判断される。
【００６９】
ここで、モード２またはモード３が選択された場合は、それぞれステップ２０３またはステップ２０４に進み、従来と同様にしてディスク内シャッフルモードの再生または全ディスクシャッフルモードの再生が実行される。
【００７０】
また、ステップ２０２で、モード１、即ち、選択対象限定のディスクシャッフル再生のモードが選択された場合、処理はステップ２２１に進んで、限定シャッフル再生の対象を特定するテキスト情報の、使用者による選択のキー入力を受け付ける。この例では、限定シャッフル再生の対象は、「対象１；ジャンルを特定」および「対象２；演奏者を特定」とされ、いずれか一方の対象が使用者により選択されるとともに、その対象について、特定のジャンル名や演奏者名のテキスト情報の指定入力がなされる。
【００７１】
この例の場合、テキスト情報の指定入力は、対象１または対象２が使用者に選択されると、その対象について選択可能なジャンル名あるいは演奏者名の一覧データがディスプレイ３８の画面に表示され、その画面から使用者が所望のジャンル名あるいは演奏者名を選択指定することにより、行うことができる。
【００７２】
なお、使用者が、所望のジャンル名あるいは演奏者名を直接に入力することによっても、限定シャッフル再生の対象を特定するテキスト情報の指定入力ができることは言うまでもない。
【００７３】
次のステップ２２２では、使用者により選択された対象が、対象１または対象２のいずれであるかが判断され、対象１が選択された場合、即ち、特定のジャンルが選択されたと判断された場合は、ステップ２２３に進み、上述のようにして不揮発性メモリ４２に格納された、全ディスクの付随情報について、使用者により指定入力されたジャンル名についてのテキスト情報を検索子として、検索が行われて、指定入力されたジャンルと同じジャンルのディスクが選択される。
【００７４】
一方、ステップ２２２で、対象２が選択された場合、即ち、特定の演奏者が選択されたと判断された場合は、ステップ２２４に移行して、上述と同様に、不揮発性メモリに格納された、全ディスクの付随情報について、使用者により指定入力された演奏者名についてのテキスト情報を検索子として、検索が行われて、指定入力された演奏者と同じ演奏者のディスクが選択される。
【００７５】
そして、ステップ２２３とステップ２２４のいずれからも、ステップ２２５に進んで、検索により選択された特定のジャンルまたは特定の演奏者の複数のディスクに限定して、モード１のシャッフルの順序が決定され、この順番決定の配列情報がマイクロコンピュータのＲＡＭ３３（図１参照）に格納される。しかる後、このシャッフル再生処理ルーチン２００が終了する。
【００７６】
この際のシャッフル再生は、複数枚のディスクの再生順序が、乱数にしたがって定められるものである。しかし、前記複数枚のディスクに記録されている全ての楽曲を、乱数にしたがって定めるようにして、シャッフル再生するようにすることもできる。
【００７７】
なお、上述のようなルーチン２００が終了した後は、図示は省略するが、シャッフル演奏開始のキー操作を待ち、シャッフル演奏開始のキー操作があれば、マイクロコンピュータのＲＡＭ３３に格納した情報の順番で、シャッフル演奏を行う。
【００７８】
上述のように、この実施の形態では、不揮発性メモリ４２に格納された付随情報、即ち、ＣＤテキスト情報や、使用者が入力した所要のテキスト情報に基づいて、チェンジャのマガジンに収納された複数のディスクのうち、特定の演奏者や特定のジャンルのディスクだけを選択して、シャッフル再生を行うようにすることができる。
【００７９】
また、この実施の形態では、ＣＤテキスト規格に非対応のディスクについては、使用者が入力した所要のテキスト情報を不揮発性メモリ４２に登録することにより、ＣＤテキスト規格に非対応のディスクがマガジン内に混在している場合も、上述のように、特定の演奏者や特定のジャンルのディスクだけを選択して、ディスクシャッフルを行うことができる。
【００８０】
なお、上述の実施の形態では、モード１のシャッフル再生において、特定の演奏者や特定のジャンルのディスクだけを選択して、ディスクシャッフルを行うようにしたが、装填されている全てのディスクに記録されている全ての特定の演奏者や特定のジャンルの楽曲を選択して、選択した楽曲だけのシャッフルを行うようにすることもできる。
【００８１】
また、選択の対象は演奏者やジャンルに限定されるものではなく、例えば、作詞者や作曲者などを選択の対象とすることも、勿論できる。
【００８２】
［シャッフル再生処理の第２の実施の形態］
次に、この発明によるシャッフル再生処理の第２の実施の形態について説明する。この第２の実施の形態では、同じジャンルや同じ演奏者などを検索子として選択したディスクや複数の楽曲が、連続して再生されないようにして、変化のあるシャッフル再生を行うようにした場合である。この実施の形態のシャッフル再生処理ルーチン３００の例を図５に示す。
【００８３】
図５に示すように、最初のステップ３０１では、使用者による所定のキー入力に基づいて、次のようなモード１〜モード３から、所望のシャッフルモードが選択される。
【００８４】
すなわち、この第２の実施の形態では、モード１が選択対象の連続の再生を禁止したディスクシャッフルのモードとされると共に、モード２およびモード３は、それぞれ従来と同様のディスク内シャッフルモードおよび全ディスクシャッフルモードとされる。
【００８５】
次のステップ３０２では、使用者により選択されたシャッフルモードがモード１，モード２またはモード３のいずれであるかが判断される。  
ここで、モード２またはモード３が選択された場合は、それぞれステップ３０３またはステップ３０４に進み、従来と同様にして、ディスク内シャッフルモードの再生または全ディスクシャッフルモードの再生が実行される。
【００８６】
また、ステップ３０２で、モード１、即ち、選択対象の連続を禁止したディスクシャッフルモードが選択された場合、ステップ３２１に進み、不揮発性メモリ４２に格納されている付随情報であるテキスト情報を用いて、シャッフル対象を特定する処理に移行する。
【００８７】
なお、前述のように、大容量のハードディスクが接続された場合、このハードディスクに記録された全ての曲の音楽データに対応するＣＤテキストデータも、付随情報の格納の対象として、上述と同様に処理される。
【００８８】
ステップ３２１においては、シャッフル対象を特定するテキストの、使用者による選択のキー入力を受け付ける。この例では、このモードでの指定シャッフル対象は、「対象１；ジャンルを特定」および「対象２；演奏者を特定」とされ、いずれか一方の対象が使用者により選択される。そして、その対象について、特定のジャンル名や演奏者名のテキスト情報の指定入力がなされる。
【００８９】
この例の場合も、テキスト情報の指定入力は、対象１または対象２が使用者に選択されると、その対象について選択可能なジャンル名あるいは演奏者名の一覧データがディスプレイ３８の画面に表示され、その画面から使用者が所望のジャンル名あるいは演奏者名を選択指定することにより、行うことができる。
【００９０】
なお、使用者が、所望のジャンル名あるいは演奏者名を直接に入力することによっても、限定シャッフル再生の対象を特定するテキスト情報の指定入力ができる。
【００９１】
次のステップ３２２では、使用者により選択された対象が１または２のいずれであるかが判断され、対象１が選択された場合、即ち、特定のジャンルが選択されたと判断された場合は、ステップ３２３に進み、上述のようにして不揮発性メモリ４２に格納された、全ディスクの付随情報について、使用者により指定入力されたジャンルについてのテキスト情報を検索子として、検索が行われて、指定入力されたジャンルと同じジャンルのディスクが選択される。
【００９２】
一方、ステップ３２２で、対象２が選択された場合、即ち、特定の演奏者が選択されたと判断された場合は、ステップ３２４に移行して、上述と同様に、不揮発性メモリに格納された、全ディスクの付随情報について、使用者により指定入力された演奏者名についてのテキスト情報を検索子として、検索が行われて、指定入力された演奏者と同じ演奏者のディスクが選択される。
【００９３】
そして、ステップ３２３とステップ３２４のいずれからも、ステップ３２５に進んで、再生装置に装填されている全てのディスクのジャンルまたは演奏者が同一であるか否かが判断される。
【００９４】
ステップ３２５で、再生装置に装填されているディスクには、異なるジャンルまたは異なる演奏者のディスクが含まれていると判断された場合は、ステップ３２６に進んで、検索により選択された特定のジャンルまたは特定の演奏者のディスクが連続しないように、モード１のシャッフルの順番が決定されて、この順番決定の配列情報がマイクロコンピュータのＲＡＭ３３に格納される。しかる後、シャッフル再生処理ルーチン３００が終了する。
【００９５】
この場合、検索により選択された特定のジャンルまたは特定の演奏者のディスクが連続しないようにするためには、選択されなかったディスクを、選択されたディスクの間に挿入するようにして、ディスク配列が決定される。そして、この例では、選択された複数のディスク順番およびその間に挿入される選択されなかった複数のディスクの順番は、それぞれ乱数にしたがって決定される。
【００９６】
一方、装置に装填されている全てのディスクのジャンルまたは演奏者が同一である場合には、ステップ３２７に移行して、連続を禁止してシャッフルを行うようにする当該モード１が実行できない旨が、ディスプレイ３８に表示された後、このシャッフル再生処理ルーチン３００が終了する。
【００９７】
なお、上述のようなルーチン３００が終了した後は、図示は省略するが、シャッフル演奏開始のキー操作を待ち、シャッフル演奏開始のキー操作があれば、マイクロコンピュータのＲＡＭ３３に格納した情報の順番で、シャッフル演奏を行う。
【００９８】
ところで、例えば、同じ演奏者のディスクが多ければ、モード１のシャッフルの途中から同じ演奏者のディスクが続いてしまう場合があり得る。この場合は、シャッフルモードが途中で切り替わることを表示して、使用者の注意を促すようにしてもよい。
【００９９】
上述のように、この第２の実施の形態では、不揮発性メモリ４２に格納された付随情報、即ち、ＣＤテキスト情報や、使用者が入力した所要のテキスト情報に基づいて、チェンジャのマガジンに収納された複数のディスクのうち、特定の演奏者や特定のジャンルのディスクを選択すると共に、選択したディスクの連続を禁止して、ディスクシャッフルを行うようにしたので、変化に富んだシャッフル再生を実現することができる。
【０１００】
また、この第２の実施の形態では、ＣＤテキスト規格に非対応のディスクについては、使用者が入力した所要のテキスト情報を不揮発性メモリ４２に登録することにより、ＣＤテキスト規格に非対応のディスクがマガジン内に混在している場合も、上述のように、特定の演奏者や特定のジャンルのディスクだけを選択すると共に、選択したディスクの連続を禁止して、ディスクシャッフルを行うことができる。
【０１０１】
なお、上述の第２の実施の形態では、モード１のシャッフル再生において、特定の演奏者や特定のジャンルのディスクを選択し、選択したディスクの連続を禁止したディスクシャッフルを行うようにしたが、装填されている全てのディスクに記録されている全ての特定の演奏者や特定のジャンルの楽曲を選択し、その選択した楽曲の連続を禁止したシャッフルを行うようにすることもできる。
【０１０２】
また、選択の対象は演奏者やジャンルに限定されるものではなく、例えば、作詞者や作曲者などを選択の対象とすることもできる。
【０１０３】
［シャッフル再生処理の第３の実施の形態］
上述の第１および第２の実施の形態の説明では、ディスクの装填時にＣＤテキスト対応でないときには、ディスクタイトルや演奏者、ジャンルなどのテキスト情報の使用者による登録を受け付けるようにしたが、テキスト情報を用いて検索を行う前述のモード１のシャッフルの際に、ＣＤテキスト対応でないディスクについての使用者によるテキスト情報の入力の受付を行うようにすることもできる。第３の実施の形態は、その場合の実施の形態である。
【０１０４】
図６は、第１の実施の形態の場合に、上述の点を考慮した第３の実施の形態の一例を説明するためのシャッフル再生処理の処理ルーチンの要部を示すもので、前述の図２の処理ルーチン３００のステップ２２２以下を示すものである。すなわち、図６は、この第３の実施の形態と、第１の実施の形態と異なる部分を説明するための図であり、図２に示したステップと同一処理内容のステップについては、同一ステップ番号を付与してある。
【０１０５】
すなわち、この第３の実施の形態の場合、ステップ２２３あるいはステップ２２４において、ジャンル名あるいは演奏者名についてのテキスト情報を検索したとき、それぞれステップ２３１あるいはステップ２３４に進み、装填されているディスクの中に、不揮発性メモリ４２にテキスト情報が存在していないものがあるか否かが判別される。これは、ディスクがＣＤテキストに対応していないディスクであるか、あるいは、ＣＤテキストに対応していないディスクであって使用者によるテキスト情報の入力を受け付けていないディスクの判別である。
【０１０６】
ステップ２３１あるいはステップ２３４で、不揮発性メモリ４２にテキスト情報が存在していないディスクが存在していると判別されたときには、それぞれステップ２３２あるいはステップ２３４に進み、テキスト情報がメモリ４２に格納されていないディスク番号が表示されて、使用者に対して、所要のテキスト情報の入力が促される。使用者により、図４に示すような所要のテキスト情報が入力されると、ステップ２３３あるいはステップ２３６において、その入力されたテキスト情報は、不揮発性メモリ４２の使用者入力情報登録領域４２ｕに、ディスクの識別子（総プログラム数および総演奏時間の情報）と対応付けられて登録される。
【０１０７】
そして、ステップ２３１あるいはステップ２３４で、装填されている全てのディスクについてテキスト情報が不揮発性メモリ４２に格納されていると判断されたときには、ステップ２３１とステップ２３４のいずれからも、ステップ２２５に進んで、検索により選択された特定のジャンルまたは特定の演奏者の複数のディスクに限定して、モード１のシャッフルの順序が決定され、この順番決定の配列情報がマイクロコンピュータのＲＡＭ３３に格納される。しかる後、このシャッフル再生処理ルーチン２００が終了する。
【０１０８】
［更に他の実施の形態］
前述の各実施の形態では、この発明をチェンジャ型のＣＤ再生装置に適用した場合について説明したが、この発明は、ミニディスク（ＭＤ）のチェンジャ型再生装置にも全く同様に適用することができる。使用者が録音したミニディスクをシャッフル再生する場合、プログラム領域の最内周に記録されたユーザＴＯＣも前述の付随情報として利用することができる。
【０１０９】
ミニディスクの場合に、各ディスクのＴＯＣには、各楽曲はトラックナンバーとしてテキスト情報が記録されていると共に、その楽曲のディスク上のアドレス領域が記録されているので、それらの情報を用いることにより、楽曲単位のシャッフル再生を容易に行うことができる。
【０１１０】
また、前述の各実施の形態では、テキスト情報は、不揮発性メモリ４２に全て格納しておくようにしたが、ＣＤテキストのディスクやＭＤディスクなど、テキスト情報が記録されているディスクのみをシャッフル対象とする場合には、検索時にそれらのテキスト情報を読み出して、特定のシャッフル対象のディスクや楽曲を選択するようにすることも、勿論できる。
【０１１１】
また、この発明は、ビデオＣＤや、ＤＶＤの再生装置にも同様に適用することができる。
【０１１２】
また、図１の実施の形態で、ハードディスクが接続された場合は、その高速アクセス性によって、複数のＣＤに亘るようなシャッフル再生を、遅滞なく、かつ、円滑に行なうことができる。
【０１１３】
この場合、マガジン内の複数のディスクの全内容をハードディスクに記録しておくことにより、シャッフル再生の際に、チェンジャ機構を動作させる必要がなくなる。
【０１１４】
あるいは、ＤＶＤのような大容量の光ディスクに、複数のＣＤの全内容を記録した場合も、複数のＣＤに亘るようなシャッフル再生を、遅滞なく、かつ、円滑に行なうことができる。
【０１１５】
なお、記録媒体は、光ディスクに限らず、半導体メモリであってもよい。
【図面の簡単な説明】
【０１１６】
【図１】この発明による音楽情報の再生装置をチェンジャ型のＣＤ再生装置に適用した実施の形態の構成を示すブロック図である。
【図２】この発明の実施の形態におけるシャッフル再生処理を説明するための流れ図である。
【図３】この発明の実施の形態のシャッフル再生処理の要部を説明するための流れ図である。
【図４】この発明の実施の形態のシャッフル再生処理の要部を説明するための概念図である。
【図５】この発明の他の実施の形態のシャッフル再生処理を説明するための流れ図である。
【図６】この発明の他の実施の形態のシャッフル再生処理を説明するための流れ図の一部である。
【図７】この発明を説明するための概念図である。
【図８】この発明を説明するための概念図である。
【符号の説明】
【０１１７】
１ａ，１ｂ〜１ｎ…コンパクトディスク（ＣＤ）、２…ディスク収納部（マガジン）、３…ディスク搬送機構、１０…再生系、１１…スピンドルモータ、１２…光学ピックアップ、１４…ＲＦ信号処理回路、１５…サーボ制御回路、１６…再生処理回路、１７…オーディオ増幅回路、２１…サブコード処理回路、２２…ＣＤテキストデコーダ、３０…システム制御系、３１…ＣＰＵ、３２…ＲＯＭ、３３…ＲＡＭ、３４…システムバス、３６…操作部、３８…ディスプレイ、４２…不揮発性メモリ、４２ｔ…ＣＤテキスト記録領域、４２ｕ…使用者入力情報登録領域、４３…ハードディスク、２００，３００…シャッフル再生処理ルーチン
【図１】
2006331638.tif 000003
【図２】
2006331638.tif 000004
【図３】
2006331638.tif 000005
【図４】
2006331638.tif 000006
【図５】
2006331638.tif 000007
【図６】
2006331638.tif 000008
【図７】
2006331638.tif 000009
【図８】
2006331638.tif 000010